(57)【要約】【課題】固定什器と移動什器とを組み合わせ可能かつ前記組み合わせ時に固定什器から移動什器へ給電可能とした什器システムにおいて、所定の使用空間における什器システムの使い勝手及び体裁を良好にする。【解決手段】固定電源に接続される給電部５を有する固定什器と、前記給電部５からの給電を受ける受電部４を有する移動什器とを備え、前記固定什器及び移動什器が所定の組み合わせ状態となったときに、前記給電部５から前記受電部４への給電を可能とするものであって、前記固定什器に対する前記移動什器の組み付け位置を変更するべく、前記給電部５及び受電部４の少なくとも一方が位置変更可能とされる。【選択図】図８
2012019880.tif 000002
【特許請求の範囲】
【請求項１】
固定電源に接続される給電部を有する固定什器と、前記給電部からの給電を受ける受電部を有する移動什器とを備え、
前記固定什器及び移動什器が所定の組み合わせ状態となったときに、前記給電部から前記受電部への給電を可能とする什器システムであって、
前記固定什器に対する前記移動什器の組み付け位置を変更するべく、前記給電部及び受電部の少なくとも一方が位置変更可能とされること特徴とする什器システム。
【請求項２】
請求項１に記載の什器システムにおいて、
前記給電部が、前記固定什器に固定されて水平に延びる給電レールと、この給電レールの所定位置に保持される給電コネクタとを有することを特徴とする什器システム。
【請求項３】
請求項１又は２に記載の什器システムにおいて、
前記受電部が、前記移動什器に固定されて水平に延びる受電レールと、この受電レールの所定位置に保持される受電コネクタとを有することを特徴とする什器システム。
【請求項４】
請求項１から３の何れか１項に記載の什器システムにおいて、
前記固定什器が、前記移動什器を所定の組み合わせ位置に案内するためのガイド機構を有し、このガイド機構が、前記移動什器の組み合わせ位置に合わせて設置可能であることを特徴とする什器システム。
【請求項５】
請求項１から４の何れか１項に記載の什器システムにおいて、
前記給電部及び受電部が給電コネクタ及び受電コネクタをそれぞれ有し、前記各コネクタが、互いに磁気的に吸着して電気的な接続状態を確立するマグネット式コンセントを構成することを特徴とする什器システム。
【請求項６】
請求項１から４の何れか１項に記載の什器システムにおいて、
前記給電部及び受電部が非接触給電手段を構成することを特徴とする什器システム。
【発明の詳細な説明】
【技術分野】
【０００１】
本発明は、固定什器と移動什器とを組み合わせ可能な什器システムに関し、特に給電手段を搭載してオフィスや病院、公共施設等における執務空間、及び家庭等の居住空間にて使用される什器システムに関する。
【背景技術】
【０００２】
従来、上記什器システムにおいて、各什器を所定の組み合わせ状態としたときに、固定什器から移動什器へこれらが搭載した給電手段を介して電力を供給可能としたものがある（例えば、特許文献１参照）。
【先行技術文献】
【特許文献】
【０００３】
【特許文献１】特開２０１０−１１８２４７号公報
【発明の概要】
【発明が解決しようとする課題】
【０００４】
ところで、上記特許文献１では、前記給電手段のコネクタ部分が遊動支持されているものの、固定什器に対する移動什器の組み合わせ位置を変更できるほどではない。このため、移動什器の組み合わせ位置や数の変更には対応できず、所定の使用空間における什器システムの使い勝手や体裁の面で改善の余地があった。
【０００５】
そこで本発明は、固定什器と移動什器とを組み合わせ可能かつ前記組み合わせ時に固定什器から移動什器へ給電可能とした什器システムにおいて、所定の使用空間における什器システムの使い勝手及び体裁を良好にすることを目的とする。
【課題を解決するための手段】
【０００６】
上記課題の解決手段として、請求項１に記載した発明は、固定電源に接続される給電部を有する固定什器と、前記給電部からの給電を受ける受電部を有する移動什器とを備え、前記固定什器及び移動什器が所定の組み合わせ状態となったときに、前記給電部から前記受電部への給電を可能とする什器システムであって、前記固定什器に対する前記移動什器の組み付け位置を変更するべく、前記給電部及び受電部の少なくとも一方が位置変更可能とされること特徴とする。
請求項２に記載した発明は、請求項１に記載の什器システムにおいて、前記給電部が、前記固定什器に固定されて水平に延びる給電レールと、この給電レールの所定位置に保持される給電コネクタとを有することを特徴とする。
請求項３に記載した発明は、請求項１又は２に記載の什器システムにおいて、前記受電部が、前記移動什器に固定されて水平に延びる受電レールと、この受電レールの所定位置に保持される受電コネクタとを有することを特徴とする。
請求項４に記載した発明は、請求項１から３の何れか１項に記載の什器システムにおいて、前記固定什器が、前記移動什器を所定の組み合わせ位置に案内するためのガイド機構を有し、このガイド機構が、前記移動什器の組み合わせ位置に合わせて設置可能であることを特徴とする。
請求項５に記載した発明は、請求項１から４の何れか１項に記載の什器システムにおいて、前記給電部及び受電部が給電コネクタ及び受電コネクタをそれぞれ有し、前記各コネクタが、互いに磁気的に吸着して電気的な接続状態を確立するマグネット式コンセントを構成することを特徴とする。
請求項６に記載した発明は、請求項１から４の何れか１項に記載の什器システムにおいて、前記給電部及び受電部が非接触給電手段を構成することを特徴とする。
【発明の効果】
【０００７】
請求項１に記載した発明によれば、使用者の要望や各什器の設置条件等に応じて、固定什器に対する移動什器の組み合わせ位置を任意に変更でき、かつ組み合わせる移動什器の数も変更可能となるため、所定の使用空間における什器システムの使い勝手及び体裁を良好にすることができる。
請求項２，３に記載した発明によれば、簡易的な構造でありながら給電レール及び受電レールの範囲内で自由に給電コネクタ及び受電コネクタの位置や数を変更することができ、固定什器に対する移動什器の組み合わせ位置や数の設定自由度を高めることができる。
請求項４に記載した発明によれば、移動什器の組み合わせ位置や数を変更した場合でも、移動什器の位置決めを容易かつ確実に行うことができる。
請求項５に記載した発明によれば、給電部及び受電部の接続の確実性を向上できると共に、各コネクタを接続したままの状態で移動什器を固定什器に対する組み合わせ位置から移動させてしまった場合でも、移動什器を操作する力がマグネット式コンセントの吸着力よりも大きければ各コネクタの接続を自動的に解除できるため、移動什器の使い勝手をさらに向上できる。
請求項６に記載した発明によれば、給電部及び受電部周辺のメンテナンス性を向上できると共に、移動什器を固定什器に対する組み合わせ位置から自由に移動させることができるため、移動什器の使い勝手をさらに向上できる。また、給電手段をカバー等で覆った場合でも給電が可能であるため、水や薬液等が給電手段に掛かり難くすることができる。
【図面の簡単な説明】
【０００８】
【図１】本発明の実施形態における什器システムの斜視図である。
【図２】上記什器システムのカートの側面図である。
【図３】上記什器システムのテーブル及びカート間の給電手段の斜視図である。
【図４】上記給電手段の変形例を示す斜視図である。
【図５】（ａ）は上記給電手段の他の変形例を示す斜視図、（ｂ）は（ａ）の受電コネクタの平面図である。
【図６】上記什器システムの作用を（ａ）〜（ｃ）の態様で示す説明図である。
【図７】上記什器システムのカート用のガイド機構の斜視図である。
【図８】上記什器システムの第一の変形例を示す斜視図である。
【図９】上記什器システムの第二の変形例を示す斜視図である。
【図１０】上記什器システムの第三の変形例を示す斜視図である。
【発明を実施するための形態】
【０００９】
以下、本発明の実施形態について図面を参照して説明する。
図１に示すように、本実施形態の什器システム１は、床面Ｆ上に配設されたテーブル（固定什器）２と、床面Ｆ上を走行可能に配設されたカート（移動什器）３とを備える。
テーブル２は、水平に配される天板８と、この天板８を支持して床面Ｆに固定的に設置可能な脚部９とを有する。なお、図中符号８ａは天板８の上面を示す。
【００１０】
図２，３を併せて参照し、テーブル２は、例えば天板８の下方にカート３の受電部４に対応する給電部５を有する。給電部５は、ブラケット５ｃを介して天板８の下面に一体固定的に支持される給電レール５ａと、この給電レール５ａに保持される給電コネクタ７とを一体に有する。給電レール５ａは左右に延び、この給電レール５ａに給電コネクタ７が左右位置を変更可能に取り付けられる。給電部５（給電レール５ａ）は、什器システム１の設置場所に設けられたＡＣ電源（固定電源）に接続されている。
【００１１】
図１，２を参照し、カート３は、キャスタ１１により床面Ｆ上を走行可能な枠型のカート本体１２と、カート本体１２の内側に着脱可能に支持される上下二段の物品収納トレイ１３と、カート本体１２の上端部に支持されて水平な上面１４ａを形成する天板１４とを有する。カート本体１２は例えばステンレス等の金属製の複数の部材を溶接等により一体に結合してなり、物品収納トレイ１３及び天板１４はそれぞれ例えばポリプロピレン等の合成樹脂製の一体成形品とされる。
【００１２】
なお、カート３は、物品を載置、収納する手段（天板１４、物品収納トレイ１３）を有しつつ、床面Ｆ上を走行可能とされたものであり、例えば、病院や介護施設等で病室を回診する際等に利用されると共に、近年のカルテ等の電子化に伴って情報端末等の電子機器Ｐを載置可能とするために、カート本体１２に電源（バッテリ１７）を搭載している。
【００１３】
カート本体１２は直方体状をなし、左右一対の前支柱１２ａ及び後支柱１２ｂを有する。左右の前支柱１２ａは、その上端部から後方に屈曲して延びる上横桟１２ｃを一体に有する。各上横桟１２ｃの後端部は、左右の後支柱１２ｂの上部にそれぞれ接合される。左右の前支柱１２ａの下端部と左右の後支柱１２ｂの下端部とは、左右の下横桟１２ｄを介してそれぞれ連結される。各上横桟１２ｃの前部間は上梁１２ｅを介して互いに連結され、各下横桟１２ｄの中間部間は下梁１２ｆを介して互いに連結される。各支柱１２ａ，１２ｂの下端部にはそれぞれキャスタ１１が取り付けられる。
【００１４】
左右の後支柱１２ｂは、その上端部から前方に屈曲して延びる天板支持腕１２ｇを一体に有する。これら左右の天板支持腕１２ｇに天板１４の左右下部がそれぞれ支持される。左右の後支柱１２ｂの上端屈曲部は、グリップ１５ａを具備して使用者によるカート３の移動操作を可能とする操作部１５を構成する。
【００１５】
左右の上横桟１２ｃと左右の天板支持腕１２ｇとはそれぞれ上下に離間する。これら各上横桟１２ｃ及び各天板支持腕１２ｇを主に、カート本体１２の上部に側面視で前方に開放する空間部１６が形成される。空間部１６にはテーブル２の天板８の後部が前方から進入可能である。
【００１６】
左右の上横桟１２ｃの間には、扁平状のバッテリ１７が搭載される。バッテリ１７は、空間部１６を介して天板１４の真下に位置する。バッテリ１７は、コンバータ等を含む装置であり、カート３に設けられた不図示の雌側コンセントに接続され、この雌側コンセントから天板１４上に載置した情報端末等の電子機器Ｐへ電力を供給可能である。
【００１７】
図２を参照し、カート３の上梁１２ｅには、ブラケット４ｃを介して受電部４の受電コネクタ６が一体固定的に支持される。受電コネクタ６は、カート３をテーブル２に組み合わせた際に、前記給電コネクタ７に後方から接続される。なお、前記雌側コンセントを受電部４にも接続し、受電部４及びバッテリ１７の少なくとも一方から電力を取り出し可能としてもよい。
【００１８】
カート３は、空間部１６内にテーブル２の天板８の後部を進入させるようにしてテーブル２と組み合わされる。このとき、カート本体１２の上横桟１２ｃよりも下方の部位は、テーブル２の天板８下方の空間部内に収納される。またこのとき、給電コネクタ７及び受電コネクタ６が互いに接続されて、給電部５から受電部４への給電が可能となる。以下、この状態をテーブル２及びカート３の所定の組み合わせ状態とする。受電部４に供給された電力は、バッテリ１７の充電に供されるか前記雌側コンセントから外部へ取り出される。
【００１９】
前記所定の組み合わせ状態において、天板支持腕１２ｇ及び天板１４はテーブル２の天板８の上方に位置する。このため、天板１４上にパソコン等の物品を載置したままで、テーブル２及びカート３を前記所定の組み合わせ状態にすることが可能である。
【００２０】
各天板支持腕１２ｇの後部には、それぞれ左右の荷掛けフック２３が固定される。各荷掛けフック２３は、側面視で空間部１６内（下方）に突出するように設けられる。各荷掛けフック２３は、前記所定の組み合わせ状態においてテーブル２の天板８の後縁に当接する。これにより、テーブル２に対するカート３の前方移動位置が規定される。また、テーブル２に対するカート３の左右位置は、テーブル２の天板８の下面に固定されたガイド機構２４により規定される（図１参照）。
【００２１】
図７を参照し、ガイド機構２４は、天板８下面に固定される左右一対のガイドパイプ２５を有する。各ガイドパイプ２５は、カート本体１２の各前支柱１２ａの上端屈曲部周辺にこれらの左右外側から当接する。各ガイドパイプ２５はそれぞれ、天板８の下面から下方に離間した位置にて略水平に延びるガイド部２６と、このガイド部２６の前後端部から上方に屈曲して延びる前後脚部２７と、各脚部２７の上端に設けられて天板８の下面に左右一対のボルト２７ｂにより固定される固定板２７ａとを一体に有する。
【００２２】
各ガイド部２６はそれぞれ、その前部にて前後方向と平行に延びる左右位置規制部２６ａと、左右位置規制部２６ａの後端部から斜め後外側へ屈曲して延びる案内部２６ｂとを一体に有する。各左右位置規制部２６ａ間の幅は、カート３の各前支柱１２ａの上端屈曲部周辺の間の幅と略同一とされる。
【００２３】
このガイド機構２４により、カート３を概ねテーブル２との組み合わせ位置に向けて前進させると、各ガイドパイプ２５によりカート３が所定の左右位置に案内されると共に、各荷掛けフック２３によりカート３の前進及び鉛直軸回りの傾きが規制される。この状態で、カート３が前記所定の組み付け状態となる。なお、この状態でキャスタ１１をロックすることも可能である。
【００２４】
図３に示すように、給電レール５ａは後方に開放する断面Ｃ字状をなし、その内部の上下面にそれぞれ導電部５ｂを有する。一方、給電コネクタ７は、その前部に上下一対の導電部７ａを有する係合部７ｄを有する。係合部７ｄは、各導電部７ａを横向きにした状態で給電レール５ａの後方からその内部に進入可能である。そして、前述の如く係合部７ｄを給電レール５ａ内に進入させた後、受電コネクタ６を前後軸回りに略９０度回転させることで、給電コネクタ７の各導電部７ａが縦向きとなって給電レール５ａ内の上下導電部５ｂにそれぞれ接触すると共に、給電コネクタ７が給電レール５ａの所定の左右位置にて固定的に保持される。
【００２５】
このように、給電コネクタ７の左右位置を変更可能とすることで、テーブル２に対するカート３の組付け位置を変更可能である。
ここで、詳細な図示は略すが、各コネクタ６，７は、一方にマグネット、他方に磁性体又はマグネットを有することで、互いに磁気的に吸着して電気的な接続状態を確立可能なマグネット式コンセントを構成している。
【００２６】
図７に示すように、天板８の下面には、カート３の組み付け位置の変更に伴いガイド機構２４の左右位置を変更可能とするべく、固定板２７ａの締結孔としてのナット孔２７ｃを左右に等間隔に多数有している。すなわち、什器システム１では、ガイド機構２４に合わせてカート３の左右位置を多段階に設定可能である。なお、ガイド機構２４の左右位置を無段階に変更可能とすれば、カート３の左右位置も無段階に設定可能となる。
【００２７】
図４は、給電部５及び受電部４の変形例を示す。この変形例では、給電レール５ａに受電コネクタ６を直接差し込むことで、各導電部５ｂ，６ａを直線接触させて電気的な接続を可能とする。すなわち、受電部４がテーブル２に対して位置変更可能とされている。なお、この変形例では、給電レール５ａは断面Ｅ字状をなし、受電コネクタ６には給電レール５ａ内の凸部５ｄに対応する凹部４ｄが設けられる。
【００２８】
また、図５は、給電部５及び受電部４の他の変形例を示す。この変形例も、給電レール５ａに受電コネクタ６を直接差し込むものであり、受電部４がテーブル２に対して位置変更可能とされるものであるが、可動式の受電コネクタ６を有する点で図４の例とは異なる。受電コネクタ６は、コネクタ本体から前方に突出すると共に後方に没入可能な突き当て部６ｃと、突き当て部６ｃの没入動作に連動してコネクタ本体の上下に張り出す上下係止爪６ｂとを有する。上下係止爪６ｂは受電コネクタ６の導電部６ａでもある。受電コネクタ６は、給電レール５ａ内に差し込まれて上下係止爪６ｂ（導電部６ａ）を開くことで、上下導電部６ａを給電レール５ａ内の上下導電部５ｂにそれぞれ接触させると共に、この状態で受電コネクタ６が給電レール５ａの所定の左右位置にて固定的に保持される。
【００２９】
このような給電部５及び受電部４を用いてテーブル２に対するカート３の組み合わせ位置を変更することで、図６（ａ）に示す如く例えば固定什器の左右幅Ａ内に三つの移動什器（カート３）を組み合わせた状態、図６（ｂ）に示す如く前記左右幅Ａ内に二つの移動什器を組み合わせた状態、及び図６（ｃ）に示す如く前記左右幅Ａ内に四つの移動什器３を組み合わせた状態等に、什器システム１の態様を変化させることが可能である。
【００３０】
以上説明したように、上記実施形態における什器システム１は、固定電源に接続される給電部５を有するテーブル２と、前記給電部５からの給電を受ける受電部４を有するカート３とを備え、前記テーブル２及びカート３が所定の組み合わせ状態となったときに、前記給電部５から前記受電部４への給電を可能とするものであって、前記テーブル２に対する前記カート３の組み付け位置を変更するべく、前記給電部５及び受電部４の少なくとも一方が位置変更可能とされるものである。
この構成によれば、使用者の要望や各什器の設置条件等に応じて、テーブル２に対するカート３の組み合わせ位置を任意に変更でき、かつ組み合わせるカート３の数も変更可能となるため、所定の使用空間における什器システム１の使い勝手及び体裁を良好にすることができる。
【００３１】
また、上記什器システム１は、前記給電部５が、前記テーブル２に固定されて水平に延びる給電レール５ａと、この給電レール５ａの所定位置に保持される給電コネクタ７とを有することで、簡易的な構造でありながら給電レール５ａの範囲内で自由に給電コネクタ７の位置や数を変更することができ、テーブル２に対するカート３の組み合わせ位置や数の設定自由度を高めることができる。
【００３２】
また、上記什器システム１は、前記テーブル２が、前記カート３を所定の組み合わせ位置に案内するためのガイド機構２４を有し、このガイド機構２４が、前記カート３の組み合わせ位置に合わせて設置可能であることで、カート３の組み合わせ位置や数を変更した場合でも、カート３の位置決めを容易かつ確実に行うことができる。
【００３３】
また、上記什器システム１は、前記給電部５及び受電部４が給電コネクタ７及び受電コネクタ６をそれぞれ有し、前記各コネクタが、互いに磁気的に吸着して電気的な接続状態を確立するマグネット式コンセントを構成することで、給電部５及び受電部４の接続の確実性を向上できると共に、各コネクタを接続したままの状態でカート３を移動させてしまった場合でも、カート３を操作する力がマグネット式コンセントの吸着力よりも大きければ、各コネクタの接続を自動的に解除できるため、カート３の使い勝手をさらに向上できる。
【００３４】
なお、本発明は上記実施形態に限られるものではなく、例えば、前記受電部４及び給電部５に代わり、給電コイルを有する給電部と、受電コイルを有する受電部とを有し、これらを前記所定の組み付け状態で互いに対向させると共に給電コイルに電流を流すことで、電磁誘導により受電コイルに電流を生じさせる非接触式の給電手段を構成するようにしてもよい。
この場合、給電部及び受電部の周辺のメンテナンス性を向上できると共に、カート３をテーブル２に対する組み合わせ位置から自由に移動させることができるため、カート３の使い勝手をさらに向上できる。また、給電手段をカバー等で覆った場合でも給電が可能であるため、水や薬液等が給電手段に掛かり難くすることができる。
【００３５】
また、図８に示すように、給電部５が給電レール５ａ及び給電コネクタ７を有することに加え、受電部４が、例えばカート３の天板１４に固定されて左右に延びる受電レール４ａと、この受電レール４ａの所定位置に保持される受電コネクタ６とを有する構成としてもよい。
この場合、給電レール５ａに受電レール４ａも加えた範囲内でカート３の組み付け位置や数を任意に設定することができる。なお、図８ではテーブル２とは異なる態様の固定什器３２を示す。
【００３６】
図９は、例えばパーテーションとしての固定什器３２’と、キャビネットとしての移動什器３３とを備えた例を示す。移動什器３３の背面には受電コネクタ６が一体固定的に支持され、固定什器３２’の前面には給電レール５ａが一体固定的に支持される。そして、給電レール５ａが保持する給電コネクタ７の左右位置や数を変更することで、これに伴い固定什器３２’に対する移動什器３３の左右位置や数を任意に設定可能である。なお、図９では、固定什器３２’の屈曲部分にも追従して給電レール５ａを設けている。
【００３７】
図１０は、例えばパーテーション付きデスクとしての固定什器３２”と、キャビネットとしての移動什器３３とを備えた例を示す。移動什器３３の背面には図４の態様の受電コネクタ６が一体固定的に支持され、固定什器３２”の下部前面には同じく図４の態様の給電レール５ａが一体固定的に支持される。この場合も、固定什器３２”に対する移動什器３３の左右位置や数を任意に変更可能である。
【００３８】
そして、上記実施形態における構成は本発明の一例であり、当該発明の要旨を逸脱しない範囲で種々の変更が可能であることはいうまでもない。
【符号の説明】
【００３９】
１  什器システム
２  テーブル（固定什器）
３  カート（移動什器）
４  受電部
４ａ  受電レール
５  給電部
５ａ  給電レール
６  受電コネクタ
７  給電コネクタ
２４  ガイド機構
【図１】
2012019880.tif 000003
【図２】
2012019880.tif 000004
【図３】
2012019880.tif 000005
【図４】
2012019880.tif 000006
【図５】
2012019880.tif 000007
【図６】
2012019880.tif 000008
【図７】
2012019880.tif 000009
【図８】
2012019880.tif 000010
【図９】
2012019880.tif 000011
【図１０】
2012019880.tif 000012